(57)【要約】【課題】製造容易であって、且つデザイン上の自由度の高い電子機器のフロントパネルを提供する。【解決手段】樹脂成形品で構成した単一のパネルステイ４と、パネルステイ４の前面に、パネルステイ４を覆うように設けたアルミ押出し成形品で構成した装飾パネル５と、を備えた電子機器のフロントパネルであって、装飾パネル５は、パネルステイ４の左右中間部において、相互の接合部を重合させて配置した右装飾パネル５Ａおよび左装飾パネル５Ｂで構成されている。【選択図】図２
2008123650.tif 000002
【特許請求の範囲】
【請求項１】
単一のパネルステイと、
前記パネルステイの前面に、前記パネルステイを覆うように設けた装飾パネルと、を備え、
前記装飾パネルは、相互の接合部を重合させて配置した複数の分割装飾パネルで構成されていることを特徴とする電子機器のフロントパネル。
【請求項２】
前記複数の分割装飾パネルは、前記装飾パネルの長辺方向を複数に分割したものであり、
前記各分割装飾パネルは、短辺方向に押し出す押出し成形により形成されていることを特徴とする請求項１に記載の電子機器のフロントパネル。
【請求項３】
前記各接合部には、櫛歯状の取付片が形成され、
前記相互の接合部は、前記取付片同士をかみ合わせた状態で、前記パネルステイを貫通して前記各取付片に螺合したビスにより、前記パネルステイにそれぞれ固定されていることを特徴とする請求項１に記載の電子機器のフロントパネル。
【請求項４】
前記相互の接合部において、一方の接合部には重ね代の端に段部が形成され、他方の接合部は外端を前記段部に突き当てて重合されていることを特徴とする請求項１に記載の電子機器のフロントパネル。
【請求項５】
前記装飾パネルは、左右の２枚の分割装飾パネルで構成され、
一方の前記分割装飾パネルに対し他方の前記分割装飾パネルは、前方に突出していることを特徴とする請求項１に記載の電子機器のフロントパネル。
【発明の詳細な説明】
【技術分野】
【０００１】
本発明は、パネルステイとパネルステイを覆うように設けた装飾パネルとから成る電子機器のフロントパネルに関するものである。
【背景技術】
【０００２】
従来の、電子機器のフロントパネルとして、樹脂製のパネルステイにアルミニウム製の装飾パネルを取り付けたものが、知られている（例えば、特許文献１）。
このパネルステイは、樹脂の射出成形品で構成され、また装飾パネルはアルミニウムのプレス成形品で構成されており、装飾パネルに形成した複数の取付片（リブ）により、装飾パネルがパネルステイに固定されている。
【特許文献１】特開２００１−３５８４７５号公報
【発明の開示】
【発明が解決しようとする課題】
【０００３】
このような、従来のフロントパネルでは、その装飾パネルがアルミニウムのプレス成形品であるため、製造は容易であるが、材質に基づく脆性により凹凸等の形状に制約が生じ、デザインの自由度が損なわれる問題があった。
【０００４】
本発明は、製造容易であって、且つデザイン上の自由度の高い電子機器のフロントパネルを提供することをその課題としている。
【課題を解決するための手段】
【０００５】
本発明の電子機器のフロントパネルは、単一のパネルステイと、パネルステイの前面に、パネルステイを覆うように設けた装飾パネルと、を備え、装飾パネルは、相互の接合部を重合させて配置した複数の分割装飾パネルで構成されていることを特徴とする。
【０００６】
この構成によれば、複数の分割装飾パネルを個々に製造し、これをパネルステイに組み込むことで、装飾パネルが構成される。このため、単体としての装飾パネルが要求される製造上の制約が緩和され、個々の分割装飾パネルを簡単に製造することができ、装飾パネル全体としも簡単に製造することができる。また、分割装飾パネルの組み合わせにより、デザインの自由度を格段に向上させることができる。しかも、複数の分割装飾パネルは、相互の接合部を重合させて配置するようにしているため、接合部の意匠性が損なわれることがない。なお、複数の分割装飾パネルは、装飾パネルの長辺方向を分割したものであることが、好ましい。
【０００７】
この場合、複数の分割装飾パネルは、装飾パネルの長辺方向を複数に分割したものであり、各分割装飾パネルは、短辺方向に押し出す押出し成形により形成されていることが、好ましい。
【０００８】
この構成によれば、押出し成形において大型の金型を用いることなく、デザイン上の自由度の高い装飾パネルを簡単に製造することができる。
【０００９】
この場合、各接合部には、櫛歯状の取付片が形成され、相互の接合部は、取付片同士をかみ合わせた状態で、パネルステイを貫通して各取付片に螺合したビスにより、パネルステイにそれぞれ固定されていることが、好ましい。
【００１０】
この構成によれば、相互の接合部を重合した状態で、隣接する分割装飾パネル同士をパネルステイに簡単に取り付けることができる。また、相互の接合部の取付片を、別々にパネルステイに固定することができるため、各接合部をパネルステイに強固に固定することができると共に、前後外側の接合部により内側の接合部をパネルステイ側に引き付けるような、固定形態を容易にとることができる。
【００１１】
この場合、相互の接合部において、一方の接合部には重ね代の端に段部が形成され、他方の接合部は外端を前記段部に突き当てて重合されていることが、好ましい。
【００１２】
この構成によれば、隣接する２枚の分割装飾パネルの境界部分に、目立つような空きや筋状の光漏れ等が発生することがなく、相互の接合部を一体性を感じさせるすっきりしたデザインに仕上げることができる。
【００１３】
この場合、装飾パネルは、左右の２枚の分割装飾パネルで構成され、一方の分割装飾パネルに対し他方の分割装飾パネルは、前方に突出していることが好ましい。
【００１４】
この構成によれば、立体的に特異なフォルムを有する装飾パネルを構成することができる。
【発明を実施するための最良の形態】
【００１５】
以下、添付の図面を参照して、本発明の電子機器のフロントパネルを、ＡＶ機器のフロントパネルに適用した場合について説明する。このＡＶ機器は、例えば２層分の記録領域を有するスーパーオーディオＣＤ（Ｓｕｐｅｒ  Ａｕｄｉｏ  ＣＤ）を再生するＳＡＣＤプレイヤーであり、そのフロントパネルは、右半部に対し左半部が突出した特異なフォルムを有している。
【００１６】
図１および２に示すように、このＡＶ機器１は、筐体２の内部に再生装置を内蔵すると共に、筐体２の前面にディスプレイ、電源スイッチ、操作ボタン、ランプ、ＣＤの投入口等を配置したフロントパネル３を有している。フロントパネル３は、筐体２の前面に固定した横に長い方形のパネルステイ４と、パネルステイ４の前面にこれを覆うように取り付けた装飾パネル５とで構成されている。上記のディスプレイや電源スイッチ等は、フロントステイ４の前面に取り付けられており、これらの部品は、装飾パネル５に形成した複数の開口部を挿通し、装飾パネル５の前面に突出するように配設されている。そして、装飾パネル５は、左装飾パネル（分割装飾パネル）５Ａと右装飾パネル（分割装飾パネル）５Ｂとの２分割に構成されており、相互の接合部において、左装飾パネル５Ａが前に右装飾パネル５Ｂが後に位置して、重ねるように配設されている。
【００１７】
パネルステイ４は樹脂の成形品であり、フロントパネル３のフォルムに倣って、右半部に対し左半部が前方に突出した形状を有している。パネルステイ４の後端部には、スナップイン形式の複数の固定片１１が突設されており、この複数の固定片１１によりパネルステイ４が筐体２の前部に固定されている。パネルステイ４の左右中間部には、左装飾パネル５Ａをビス止めするための２つ方形溝１２，１２、および各方形溝１２の溝底にそれぞれ形成した２つの第１貫通孔１３，１３が、それぞれ縦に並ぶように形成されている。同様に、パネルステイ４の左右中間部には、２つ方形溝１２，１２の左隣に位置して、右装飾パネル５Ｂをビス止めするための２つの第２貫通孔１４，１４、および２つの第２貫通孔１４，１４の中間に配設した１つの位置決め突起１５が、縦に並ぶように形成されている。
【００１８】
図２および図３に示すように、右装飾パネル５Ｂは、前面に露出して右装飾パネル５Ｂの主体を為す右パネル本体２１と、右パネル本体２１の右端部から延在し、右装飾パネル５Ｂをパネルステイ４の側端面に取り付けるための側部取付片２２と、右パネル本体２１の左端部に設けられ、左装飾パネル５Ａとの重合部分となる重ね代部２３（接合部）と、で一体に形成されている。この場合、右装飾パネル５Ｂは、上下方向に押し出したアルミ押出し成形による成形品であり、複数の開口部や切欠き部等は、成形後の右装飾パネル５Ｂをプレス等で打ち抜いて形成されている。右パネル本体２１は、その右端部を除いて平板状に形成され、右端部がパネルステイ４の側端面に回り込むように湾曲形状に形成されている。側部取付片２２は、右パネル本体２１の内側から後方に延在しており、上下中間には切欠き部が形成されている。
【００１９】
重ね代部２３は、段部２５を存して右パネル本体２１から左方に延在し、右装飾パネル５Ｂをパネルステイ４の中間部に取り付けるための上下２つの取付舌片（取付片）２６，２６と、２つの取付舌片２６，２６の中間に配設した位置決め舌片２７と、を有している。この２つの取付舌片２６，２６と位置決め舌片２７とは、上下方向に適宜間隙を存して櫛歯状に形成されている。段部２５は右装飾パネル５Ｂの表側に形成されおり、段部２５を境にして、重ね代部２３は薄肉に右パネル本体２１は厚肉に形成されている。
【００２０】
２つの取付舌片２６，２６には、上記の２つの第２貫通孔１４，１４に対応するビスホール２８がそれぞれ形成され、位置決め舌片２７には上記の位置決め突起１５に対応する位置決め孔２９が形成されている。位置決め孔２９をパネルステイ４の位置決め突起１５に嵌め込んで、両取付舌片（両ビスホール２８，２８）２６，２６をパネルステイ４の第２貫通孔１４に位置合わせしておいて、パネルステイ４の裏側から各ビスホール２８に固定ビス（タッピングビス）３０をねじ込むことにより、右装飾パネル５Ｂの左端部がパネルステイ４に固定される（図４（ｂ）参照）。
【００２１】
同様に、左装飾パネル５Ａは、右装飾パネル５Ｂに比して前方に突出しており、前面に露出して左装飾パネル５Ａの主体を為す左パネル本体３１と、左パネル本体３１の左端部から延在し、左装飾パネル５Ａをパネルステイ４の側端面に取り付けるための側部取付片３２と、左パネル本体３１の右端部に設けられ、右装飾パネル５Ｂとの重合部分となる重合部３３（接合部）と、で一体に形成されている。この場合も、左装飾パネル５Ａは、上下方向に押し出したアルミ押出し成形による成形品であり、複数の開口部や切欠き部等は、成形後の左装飾パネル５Ａをプレス等で打ち抜いて形成されている。左パネル本体３１は、両端部を除いて平板状に形成され、左端部がパネルステイ４の側端面に回り込むように湾曲形状に形成されると共に、右端部が右装飾パネル５Ｂに向かって湾曲形状に形成されている。側部取付片３２は、左パネル本体３１の内側から後方に延在しており、上下中間には切欠き部（図示省略）が形成されている。
【００２２】
重合部３３は、左パネル本体３１の内側から屈曲して右方に延在し、左装飾パネル５Ａをパネルステイ４の中間部に取り付けるための上下２つのＬ字取付片（取付片）３５，３５を有している。この上下２つのＬ字取付片３５，３５も、上下に間隙を存して櫛歯状に形成されており、詳細は後述するが、左装飾パネル５Ａを装着するときには、この両Ｌ字取付片３５，３５と、上記の両取付舌片２６，２６および位置決め舌片２７とが相互に噛み合うように配設される。２つのＬ字取付片３５，３５は、それぞれ左パネル本体３１の右端手前から「Ｌ」字状に延在しており、この各Ｌ字取付片３５，３５には、上記の２つの第１貫通孔１３，１３に対応するビスホール３６，３６がそれぞれ形成されている。
【００２３】
両Ｌ字取付片３５，３５をパネルステイ４の両方形溝１２，１２に嵌め込むようにして、両Ｌ取付片（両ビスホール３６，３６）３５，３５をパネルステイ４の第１貫通孔１３に位置合わせしておいて、パネルステイ４の裏側から各ビスホール３６に固定ビス（タッピングビス）３７をねじ込むことにより、左装飾パネル５Ａの右端部がパネルステイ４に固定される（図４（ｂ）参照）。このとき、左装飾パネル５Ａの端部が上記の段部２５に突き当てられるようになっている（図５参照）。この場合、左パネル本体３１の右端は、上記の段部２５に合わせて形状加工されている。すなわち、左パネル本体３１の右端の肉厚は、段部２５の段差寸法と同一に加工され、その内側は重ね代部２３に接触するように加工されている（図５参照）。これにより、段部２５に突き当てた左パネル本体３１の右端と右パネル本体２１の左端との間に段差の生じない接合形態となっている。
【００２４】
ここで、図３ないし図５を参照して、フロントパネル３の組立て方法について簡単に説明する。先ず、パネルステイ４の右半部に対し、前方から右装飾パネル５Ｂを装着する。このとき、パネルステイ４の位置決め突起１５に右装飾パネル５Ｂの位置決め孔２９を嵌め入れ、且つ側部取付片２２の切欠き部分をパネルステイ４の凸部に合わせ込む。ここで、パネルステイ４の裏側から２つの取付舌片２６，２６および側部取付片２２をビス止めする（図３（ｂ）参照）。次に、パネルステイ４の左半部に対し、前方から左装飾パネル５Ａを装着する。このとき、パネルステイ４の２つの取付舌片２６，２６および位置決め舌片２７に対し、左装飾パネル５Ａの２つのＬ字取付片３５，３５を噛み合わせるようにし、両Ｌ字取付片３５，３５を両方形溝１２，１２に嵌め入れ、且つ側部取付片３２の切欠き部分をパネルステイ４の凸部に合わせ込む。ここで、左装飾パネル（左パネル本体３１）５Ａの右端を右装飾パネル５Ｂの段部２５に突き当てておいて（図５参照）、パネルステイ４の裏側から２つのＬ字取付片３５，３５および側部取付片３２をビス止めする。
【００２５】
以上のように、本実施形態によれば、アルミ押出し成形により成形される装飾パネル５を、略中間位置で２分割するようにしているため、成形金型（ダイス型）を単純な形状に且つ小型化することができる。これにより、金型のコストダウンを達成することができると共に、装飾パネル５のフォルムを斬新なものとすることができ、装飾パネル５の意匠性を向上させることができる。すなわち、装飾パネル５を２分割とすることにより、左半部を突出させた斬新な意匠の装飾パネル５を、低コストで簡単に形成することができる。また、左装飾パネル５Ａと右装飾パネル５Ｂとの相互の接合部を、段部２５を介して隙間の生じないように重合させるようにしているため、２分割構造であっても、一体感を奏し接合部の意匠性が損なわれることがない。
【００２６】
なお、本実施形態では、左装飾パネルと右装飾パネルとを略同じ大きさに２分割にしたが、一方を大きく他方を小さく形成してもよい。また、装飾パネルを３枚以上の複数分割としてもよい。さらに、本発明のフロントパネルは、ＡＶ機器のフロントパネル（装飾パネル）に限らず、各種電子機器の装飾パネルに適用することができる。
【図面の簡単な説明】
【００２７】
【図１】実施形態に係る銘板を取り付けたＡＶ機器の全体斜視図である。
【図２】ＡＶ機器のフロントパネルの分解斜視図である。
【図３】右装飾パネルのパネルステイへの取付形態を示す斜視図（ａ）および断面図（ｂ）である。
【図４】左装飾パネルのパネルステイへの取付形態を示す斜視図（ａ）および断面図（ｂ）である。
【図５】左装飾パネルおよび右装飾パネルの接合部分の断面図である。
【符号の説明】
【００２８】
１  ＡＶ機器                          ３  フロントパネル
４  パネルステイ                      ５  装飾パネル
５Ａ  左装飾パネル                    ５Ｂ  右装飾パネル
１３  第１貫通孔                      １４  第２貫通孔
２１  右パネル本体                    ２３  重ね代部
２５  段部                            ２６  取付舌片
２８  ビスホール                      ３０  固定ビス
３１  左パネル本体                    ３３  重合部
３５  Ｌ字取付片                      ３６  ビスホール
３７  固定ビス
【図１】
2008123650.tif 000003
【図２】
2008123650.tif 000004
【図３】
2008123650.tif 000005
【図４】
2008123650.tif 000006
【図５】
2008123650.tif 000007